【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
ナノ粒子を含む液滴内の空洞の強制崩壊を発生させるための方法であって、
液体とナノ粒子物質とを含む少なくとも１つの加圧された液体噴出流を発生させる工程と、
前記液体とナノ粒子物質とを含む前記少なくとも１つの加圧された液体噴出流の分散を生じさせ、該噴出流の分散から液体とナノ粒子物質とを含む複数の滴を生成する工程と、
前記滴にエネルギーを照射し、該滴内において空洞を生成及び膨張させて、該滴をターゲットと衝突させ、該滴内の空洞を崩壊させる工程と
を備え、
前記照射及び前記衝突は、空洞崩壊の内破エネルギーを増大させるようにタイミングが設定されている
ことを特徴とする方法。
【請求項２】
請求項１に記載の、液滴内の空洞の強制崩壊のための方法であって、
前記滴にエネルギーを照射し、該滴内において空洞を膨張させることで、前記滴内の前記ナノ粒子が前記照射されたエネルギーを吸収し、
前記方法は、さらに、
前記ナノ粒子物質により吸収された前記照射エネルギーのエネルギー密度と、照射から滴衝突までの時間とを調節することで、崩壊前に前記空洞の半径を制御する工程
を備えることを特徴とする方法。
【請求項３】
請求項１に記載の方法であって、
前記照射エネルギーは、レーザー光エネルギーを含む
ことを特徴とする方法。
【請求項４】
請求項１に記載の、液滴内の空洞の強制崩壊のための方法であって、
前記空洞崩壊の中心点の温度は、少なくとも１つの核融合反応を発生させる
ことを特徴とする方法。
【請求項５】
請求項１に記載の、液滴内の空洞の強制崩壊のための方法であって、
前記複数の滴は、連続滴流である
ことを特徴とする方法。
【請求項６】
請求項１に記載の、液滴内の空洞の強制崩壊のための方法であって、
前記ターゲットは、液体金属であり、
前記液体金属は、Ｓｎ、Ａｌ、Ｃｕ、Ｌｉ、Ｈｇ、Ｇｄ、Ｂｉ、Ｐｂ、及びＺｎで構成される群と、該群の合金とから選択される
ことを特徴とする方法。
【請求項７】
請求項１に記載の、液滴内の空洞の強制崩壊のための方法であって、
前記ターゲットは、氷または他の冷凍液体と、硫黄と、ろうと、固体含有物を有するかまたは有さない高分子コーティングと、シリコーンゴム及びコラーゲンゲルなどの自己修復物質と、物理力または磁力または電気力により回転するディスク上にコーティングされて、保持される固体粒子と、金属、粘土または黒鉛を含む薄片化物質とで構成された群から選択される
ことを特徴とする方法。
【請求項８】
液滴内の空洞の強制崩壊を発生させるための装置であって、
ナノ粒子を液体に注入するための注入装置と、
液体とナノ粒子物質とを含む液体の加圧された噴流を噴射し、該噴流の分散から複数の滴を生成する１つ以上のノズルと、
前記滴をエネルギーに曝し、該滴内に空洞を生成して、該空洞を膨張させる照射装置と、
前記複数の滴、及び該複数の滴の崩壊する空洞と衝突し、空洞内破エネルギーを発生するターゲットと
を備え、
前記照射及び衝突は、空洞崩壊の内破エネルギーを増大させるようにタイミングが設定されている
ことを特徴とする装置。
【請求項９】
請求項８に記載の、液滴内の空洞の強制崩壊を発生させるための装置であって、
前記滴内のナノ粒子物質は、照射エネルギーを吸収し、
前記照射装置は、伝播されて前記滴内のナノ粒子物質により吸収された前記エネルギーのエネルギー密度を調整して、崩壊前に空洞の半径を制御する
ことを特徴とする装置。
【請求項１０】
請求項８に記載の、液滴内の空洞の強制崩壊を発生させるための装置であって、
前記ターゲットは、液体金属を含み、
前記ターゲットは、氷または他の冷凍液体と、硫黄と、ろうと、固体含有物を有するかまたは有さない高分子コーティングと、シリコーンゴム及びコラーゲンゲルなどの自己修復物質と、物理力または磁力または電気力により回転するディスク上にコーティングされて、保持される固体粒子と、金属、粘土または黒鉛のような薄片化物質で構成される群から選択され、
前記ターゲットは、静止ターゲットと移動ターゲットとで構成される群からさらに選択される
ことを特徴とする装置。
【請求項１１】
ナノ粒子を含む液滴内の空洞の崩壊から融合反応を促進させるための方法であって、
液滴内の空洞の崩壊から融合反応を促進させるための装置を提供する工程であって、
ナノ粒子を液体に注入するための注入手段と、
液体とナノ粒子とを含む液体の加圧された噴流を噴射し、核反応のための燃料を有する空洞を形成された滴を生成するプレナム及び１つ以上のノズルと、
前記滴をエネルギーに曝し、該滴内に空洞を生成し、該空洞を膨張させるための照射装置と、
前記滴を衝突させて、前記滴内の空洞を崩壊させるためのターゲットと
を備え、
前記照射及び衝突は、内破エネルギーが前記空洞内の燃料の核反応を促進させるようにタイミングが設定されている、前記装置を提供する工程と、
前記液体と前記ナノ粒子物質とを含む少なくとも１つの加圧された液体噴出流を発生させる工程と、
前記液体と前記ナノ粒子物質とを含む少なくとも１つの加圧された液体噴出流を発生させる工程と、
液体とナノ粒子物質とを含む前記少なくとも１つの加圧された液体噴出流の分散を発生させ、各々が前記噴出流の該分散からの液体とナノ粒子物質とを含む複数の滴を生成する工程と、
前記滴にエネルギーを照射して、前記滴内に空洞の膨張を発生させる工程と、
前記滴を適切なターゲットと衝突させて、前記滴内の空洞を崩壊させる工程と
を備え、
前記照射及び衝突は、内破エネルギーが前記空洞内の核燃料の核反応を促進させるようにタイミングが設定されている
ことを特徴とする方法。
【請求項１２】
請求項１１に記載の、核融合反応を促進させるための方法であって、
さらに、
前記核反応の結果物である中性子の捕獲を行う、及び／または、前記核反応から生成された熱エネルギーの抽出を行う、工程を備える
ことを特徴とする方法。
【請求項１３】
請求項１１に記載の、核融合反応を促進させるための方法であって、
前記ターゲットは、氷または液体金属のような他の冷凍液体と、硫黄と、ろうと、固体含有物を有するかまたは有さない高分子コーティングと、シリコーンゴムのような自己修復物質と、物理力または磁力または電気力により、回転するディスク上にコーティングされて、保持される固体粒子と、粘土または黒鉛のような薄片化物質で構成された群から選択される
ことを特徴とする方法。
【請求項１４】
請求項１１に記載の、核融合反応を促進させるための方法であって、
液滴内の空洞の崩壊から融合反応を促進させるための前記装置は、
さらに、
前記核反応の結果物である中性子を捕獲するための捕獲手段を備える
ことを特徴とする方法。
【請求項１５】
請求項１０に記載の、核融合反応を促進させるための方法であって、
液滴内の空洞の崩壊から融合反応を促進させるための前記装置は、
さらに、
前記融合反応から生成された熱エネルギーを抽出するエネルギー抽出手段を備える
ことを特徴とする方法。
【請求項１６】
請求項１１に記載の、核融合反応を促進させるための方法であって、
液滴内の空洞の崩壊から融合反応を促進させるための前記装置、
前記ターゲットは、氷または液体金属のような他の冷凍液体と、硫黄と、ろうと、固体含有物を有するかまたは有さない高分子コーティングと、シリコーンゴムのような自己修復物質と、回転するディスク上にコーティングされて、物理力、磁力または電気力により保持される固体粒子と、金属、粘土または黒鉛のような薄片化物質で構成される群から選択される
ことを特徴とする方法。